(57)【要約】【課題】２つの底面間の高低差によって一方のポンプへの洗浄液の供給を他方のポンプへの供給よりも優先して確保しつつ、他方のポンプへの供給不能時期が一方のポンプへの供給不能時期よりも顕著に早まることを抑制可能とする。【解決手段】タンク構造は、第１底面２６に液体を貯留する第１底面部３６と、第１底面２６よりも高く配置された第２底面２７に液体を貯留する第２底面部３７とを有する。第１底面部３６には、第１ポンプ３２へ液体を供給する第１給液口３１が設けられ、第２底面部３７には、第２ポンプ３４へ液体を供給する第２給液口３３を設けられる。第１給液口３１と第２給液口３３との間の第２底面２７には、第２底面２７から起立する仕切部３５が設けられる。【選択図】図４
2014073810.tif 000002
【特許請求の範囲】
【請求項１】
第１底面に液体を貯留する第１底面部と、前記第１底面よりも高く配置された第２底面に液体を貯留する第２底面部とを有し、
前記第１底面部に、第１ポンプへ液体を供給する第１給液口を設け、
前記第２底面部に、第２ポンプへ液体を供給する第２給液口を設け、
前記第１給液口と前記第２給液口との間の前記第２底面に、該第２底面から起立する仕切部を設けた
ことを特徴とするタンク構造。
【請求項２】
請求項１に記載のタンク構造であって、
前記第２底面部を前記仕切部と前記第２底面とによって区画し、
前記仕切部よりも前記第２給液口側の前記第２底面部に設けた開口部を介して前記第２底面部と連通する収容空間を前記第２底面部の外部に備える
ことを特徴とするタンク構造。
【請求項３】
請求項２に記載のタンク構造であって、
前記収容空間は、前記第２底面部に接続される液供給管の内面によって区画され、
前記仕切部の高さは、前記液供給管の内面の底面高さ以上である
ことを特徴とするタンク構造。
【請求項４】
請求項１〜請求項３の何れか１項に記載のタンク構造であって、
前記タンク構造に貯留される液体は洗浄液であり、
前記第１ポンプは、フロントウィンドウの外面に洗浄液を供給し、
前記第２ポンプは、リヤウィンドウの外面に洗浄液を供給する。
ことを特徴とするタンク構造。
【発明の詳細な説明】
【技術分野】
【０００１】
本発明は、液体を貯留するためのタンク構造に関する。
【背景技術】
【０００２】
特許文献１には、ウオッシャータンクの底部を仕切り壁で仕切り、仕切り壁を挟んでフロントウインド用ウオッシャポンプとリヤーウインド用ウオッシャポンプとを配設したウオッシャータンクが記載されている。
【先行技術文献】
【特許文献】
【０００３】
【特許文献１】特開平７−２６７０５３号公報
【発明の概要】
【発明が解決しようとする課題】
【０００４】
特許文献１の仕切り壁によって、洗浄液の減少時に、フロントガラスへの洗浄液の供給をリヤーガラスへの供給よりも優先して確保することが可能となる。また、このようなフロントガラスへの洗浄液の確保は、仕切り壁を省略し、ウオッシャータンクに、第１底面と、第１底面部よりも高い第２底面とを設け、フロントウインド用ウオッシャポンプを第１底面側に、リヤーウインド用ウオッシャポンプを第２底面側にそれぞれ配設することによっても可能である。
【０００５】
しかし、例えばウオッシャータンクが配置される空間形状に応じて第１底面と第２底面との高低差が決定される場合、２つの底面間の高低差が過大であると、リヤーガラスへの供給不能時期がフロントガラスへの供給不能時期よりも顕著に早まってしまう可能性がある。
【０００６】
本発明は、上記実状に鑑み、２つの底面間の高低差によって一方のポンプへの洗浄液の供給を他方のポンプへの供給よりも優先して確保しつつ、他方のポンプへの供給不能時期が一方のポンプへの供給不能時期よりも顕著に早まることを抑制可能なフォッシャータンク構造の提供を目的とする。
【課題を解決するための手段】
【０００７】
上記目的を達成すべく、本発明のタンク構造は、第１底面に液体を貯留する第１底面部と、第１底面よりも高く配置された第２底面に液体を貯留する第２底面部とを有する。第１底面部には、第１ポンプへ液体を供給する第１給液口が設けられ、第２底面部には、第２ポンプへ液体を供給する第２給液口を設けられる。第１給液口と第２給液口との間の第２底面には、第２底面から起立する仕切部が設けられる。
【０００８】
上記構成では、第１底面部と第２底面部との高低差によって第１ポンプへの液体の供給を第２ポンプへの供給よりも優先して確保することができる。
【０００９】
また、第１給液口と第２給液口との間には、第２底面部から起立する仕切部が設けられるので、仕切部の高さを適宜設定することによって、第２ポンプへの洗浄液の供給不能時期を調整することができ、第２ポンプへの供給不能時期が第１ポンプへの供給不能時期よりも顕著に早まることを抑制することができる。
【００１０】
第２底面部を仕切部と第２底面とによって区画してもよい。タンク構造は、仕切部よりも第２給液口側の第２底面部に設けた開口部を介して第２底面部と連通する収容空間を第２底面部の外部に備えてもよい。
【００１１】
上記構成では、液体の総残量が減少する際に、収容空間内の液体は必ず第２底面部に供給されるので、収容空間内の液体が第２底面部に供給されずに第１底面部のみに供給されてしまうことがなく、仕切部による第２ポンプへの洗浄液の供給不能時期の調整をさらに確実に行うことができる。
【００１２】
収容空間は、第２底面部に接続される液供給管の内面によって区画されてもよく、仕切部の高さは、液供給管の内面の底面高さ以上であってもよい。
【００１３】
上記構成では、仕切部による第２ポンプへの洗浄液の供給不能時期の調整をさらに確実に行うことができ、仕切部によって、第２ポンプへの供給不能時期が第１ポンプへの供給不能時期よりも顕著に早まることをより抑制することができる。
【００１４】
タンク構造に貯留される液体は洗浄液であってもよい。第１ポンプは、フロントウィンドウの外面に洗浄液を供給してもよい。第２ポンプは、リヤウィンドウの外面に洗浄液を供給してもよい。
【００１５】
上記構成では、フロントウィンドウへの洗浄液の供給をリヤウィンドウへの供給よりも優先して確保するとともに、リヤウィンドウへの供給不能時期がフロントウィンドウへの供給不能時期よりも顕著に早まることを抑制することができる。
【発明の効果】
【００１６】
本発明によれば、２つの底面間の高低差によって一方のポンプへの洗浄液の供給を他方のポンプへの供給よりも優先して確保しつつ、他方のポンプへの供給不能時期が一方のポンプへの供給不能時期よりも顕著に早まることを抑制することができる。
【図面の簡単な説明】
【００１７】
【図１】本発明の一実施形態に係るタンク構造を示す斜視図である。
【図２】図１の側面図である。
【図３】図１の正面図である。
【図４】図３のＩＶ−ＩＶ矢視断面図である。
【図５】図２のＶ−Ｖ矢視断面図である。
【図６】変形例を示す断面図である。
【図７】他の変形例を示す断面図である。
【発明を実施するための形態】
【００１８】
以下、本発明の一実施形態を図面に基づいて説明する。本実施形態に係るタンク構造は、車両に設けられて洗浄液を貯留するウォッシャータンク構造１であり、洗浄液は車両のフロントウィンドウ及びリヤウィンドウに供給される。なお、以下の説明における左右方向は、車両前方を向いた状態での左右に対応する。
【００１９】
図１〜図５に示すように、ウォッシャータンク構造１は、内部に洗浄液の貯留空間１０を有するタンク本体２と、タンク本体２の貯留空間１０に洗浄液を供給するための液供給管３とを備える。
【００２０】
タンク本体２は、ブロー成形等によって形成される樹脂製であり、底壁１１と前壁１２を後壁１３と左右１つの側壁（左壁１４と右壁１５）と上壁１６とを一体的に有する。前壁１２を後壁１３とは前後で相対向して起立し、左壁１４と右壁１５とは、左右で相対向して起立する。貯留空間１０は、底面（底壁１１の上面）１７と、底面１７の周縁から起立する内周面（前壁１２の内面（前内面）２２と後壁１３の内面（後内面）２３と左壁１４の内面（左内面）２４と右壁１５の内面（右内面）２５）１８と、天井面（上壁１６の下面）１９とによって区画される閉空間である。タンク本体２は、前タイヤ（図示省略）の上方に配置され、タンク本体２の前端及び後端は、それぞれブラケット２１を介して車体側に固定される。
【００２１】
底壁１１は、前タイヤの上前部の円弧形状に沿って車両前方へ下降する湾曲形状である。底面１７は、車両前方の第１底面２６と、車両後方の第２底面２７と、第１底面２６と第２底面２７との間の傾斜底面２８とを有する。第１底面２６は、前内面２２の下端から車両後方へ曲折される平面状である。第２底面２７は、後内面２３の下端から車両前方へ曲折される前下方へ僅かに傾斜した平面状であり、第１底面２６よりも上方に位置する。傾斜底面２８は、傾斜底面２８の前端が第１底面２６の後端と接続され、傾斜底面２８の後端が第２底面２７の前端と接続されると共に、その全体が後上方へ湾曲状に傾斜する。
【００２２】
右壁１５の前部には第１給液口３１が形成され、第１給液口３１には第１ポンプ３２が装着される。第１給液口３１は第１底面２６の上方近傍に配置され、第１ポンプ３２は貯留空間１０内の洗浄液をフロントウィンドウの外面に供給する。第１底面２６と内周面１８とは、第１給液口３１から第１ポンプ３２へ供給される洗浄液を第１底面２６に貯留する第１底面部（第１ポンプ用貯留領域）３６を区画し、第１給液口３１は、第１底面部３６に設けられている。
【００２３】
右壁１５の後部には第２給液口３３が形成され、第２給液口３３には第２ポンプ３４が装着される。第２給液口３３は第２底面２７の上方近傍に配置され、第２ポンプ３４は貯留空間内の洗浄液をリヤウィンドウの外面に供給する。
【００２４】
第１給液口３１と第２給液口３３との間の第２底面２７には、第２底面２７の前端部から起立して車幅方向（左右方向）に延びる仕切部３５が一体形成されている。仕切部３５は、底壁１１がハット断面状に曲折する畝形状であり、左内面２４から右内面２５まで延設されている。
【００２５】
仕切部３５と第２底面２７と内周面１８とは、第２給液口３３から第２ポンプ３４へ供給される洗浄液を第２底面２７に貯留する第２底面部（第２ポンプ用貯留領域）３７を区画し、第２給液口３３は、第２底面部３７に設けられている。
【００２６】
右壁１５の前部の第２底面２７の近傍には、開口部３８が形成されている。開口部３８は、仕切部３５よりも第２給液口３３側の第２底面部３７に設けられている。
【００２７】
液供給管３は、縦管部４１と横管部４２とを一体的に有するＬ形状であり、その管内部が洗浄液の収容空間４３（図５に示す）となる。縦管部４１は、その上端にロート状の洗浄液補充口４４を有し、略鉛直方向に起立する。横管部４２は、縦管部４１の下端から曲折して延び、縦管部４１の内部の底面４１ａが第２底面２７よりも高くなるように、横管部４２の先端がタンク本体２の開口部３８に固定され、横管部４２の内部の底面４２ａは、縦管部４１の下端（縦管部４１の内部の底面）から開口部３８に向かうにつれて下方へ傾斜する（図３に示す傾斜角度θで水平方向に対して傾斜する）。このように、タンク構造１は、開口部３８を介して第２底面部３７と連通する収容空間４３を第２底面部３７の外部に備える。洗浄液補充口４４は、供給口キャップ４５によって覆われ、タンク本体２に洗浄液を補充する場合、供給口キャップ４５を外して洗浄液補充口４４から洗浄液を流入する。
【００２８】
液供給管３は、収容空間４３内の洗浄液の液面を外部から視認可能な透明又は半透明の樹脂によって形成されている。貯留空間１０との間で開口部３８を介して相互に流通可能な収容空間４３内の洗浄液の液面は、外部から視認可能なタンク本体２の残液確認用液面ＦＬとして機能する。
【００２９】
また、図５に示すように、仕切部３５の高さは、貯留空間１０及び収容空間４３に貯留される洗浄液が減少し、収容空間４３で最低液面高さ（図５中に二点鎖線ＦＬＬで示す）となった場合の液面高さ以上（収容空間４３で最低液面高さとなったときの貯留空間１０での液面高さ以上）に設定されている。本実施形態では、仕切部３５の高さは、縦管部４１の内部の底面４１ａの高さ以上に設定されている。
【００３０】
貯留空間４３内の洗浄液が減少し、その液面が仕切部３５の高さ以下となった状態において、第１底面部３６と第２底面部３７との間の洗浄液の移動は、車両の傾斜や走行時の振動等により洗浄液が仕切部３５を乗り超える場合を除き、原則として仕切部３５によって阻止される。
【００３１】
本実施形態によれば、第１底面部３６と第２底面部３７との高低差によって第１ポンプ３２への洗浄液の供給を第２ポンプ３４への供給よりも優先して確保することができる。
【００３２】
また、第１給液口３１と第２給液口３２との間には、第２底面２７から起立する仕切部３５が設けられるので、仕切部３５の高さを適宜設定することによって、第２ポンプ３４への洗浄液の供給不能時期を調整することができ、第２ポンプ３４への供給不能時期が第１ポンプ３２への供給不能時期よりも顕著に早まることを抑制することができる。
【００３３】
従って、フロントウィンドウへの洗浄液の供給をリヤウィンドウへの供給よりも優先して確保するとともに、リヤウィンドウへの供給不能時期がフロントウィンドウへの供給不能時期よりも顕著に早まることを抑制することができる。
【００３４】
また、貯留空間１０に洗浄液を補充するための開口部３８を第２底面部３７に設けているので、洗浄液の総残量が減少する際に、液供給管３の収容空間４３内の洗浄液は必ず第２底面部３７に供給され、収容空間４３内の洗浄液が第２底面部３７に供給されずに第１底面部３６のみに供給されてしまうことがない。また、仕切部３５の高さは、収容空間４３の最低液面高さ以上であるので、収容空間４３内の洗浄液が視認されている間は、第２底面部３７の洗浄液が無くなることはない。すなわち、先に空になる第２底面部３７の残液を確実に認識できる。従って、仕切部３５による第２ポンプ３４への洗浄液の供給不能時期の調整をさらに確実に行うことができる。
【００３５】
また、第１ポンプ３２と第２ポンプ３４とが前後に離間して配置されるので、各ポンプ３２，３４への電気的配線を取り違えて逆に結線してしまうことが起こり難く、各ポンプ３２，３４への結線作業性が良好である
以上、本発明について、上記実施形態に基づいて説明を行ったが、本発明は上記実施形態の内容に限定をされるものではなく、当然に本発明を逸脱しない範囲では適宜の変更が可能である。
【００３６】
例えば、仕切部の形状は、上記実施形態のようなハット断面状の畝形状に限定されず、例えば図６に示すように、底壁１１から一体的に突出する板形状の仕切部５１であってもよく、また図７に示すように、底壁１１が逆Ｖ断面状に曲折する仕切部５２であってもよい。仕切部５２は、その後側が底壁１１から略鉛直に起立し、前側が斜め下方へ傾斜する。なお、図６及び図７において、仕切部５１，５２以外の構成は上記実施形態と同様であり、図１〜図５と同一の符号を付してその詳細な説明を省略する。
【００３７】
また、第１底面２６と第２底面２７との間を、傾斜底面２８に代えて鉛直面によって連続させてもよい。
【００３８】
また、洗浄液を貯留するタンク構造について説明したが、複数の駆動部に循環供給される油のように他の液体を貯留するタンク構造にも適用可能である。
【符号の説明】
【００３９】
１：ウォッシャータンク構造
２：タンク本体
３：液供給管
１０：貯留空間
１１：底壁
１４：左壁
１５：右壁
１７：底面
１８：内周面
２４：左内面
２５：右内面
２６：第１底面
２７：第２底面
２８：傾斜底面
３１：第１給液口
３２：第１ポンプ
３３：第２給液口
３４：第２ポンプ
３５，５１，５２：仕切部
３６：第１底面部
３７：第２底面部
３８：開口部
４３：収容空間
【図１】
2014073810.tif 000003
【図２】
2014073810.tif 000004
【図３】
2014073810.tif 000005
【図４】
2014073810.tif 000006
【図５】
2014073810.tif 000007
【図６】
2014073810.tif 000008
【図７】
2014073810.tif 000009